(57)【要約】【課題】強度があり、かつ、製造、組み立てが容易な紙管の飛び出し防止の機能を備えた包装用ウェブ収納カートンを提供することにある。【解決手段】本発明は、本体前板、本体底板、本体後板、本体側板、本体内側板、本体糊代片からなるカートン本体の中に紙管に巻かれた包装用ウェブが収納される包装用ウェブ収納カートンにおいて、本体内側板には、切れ線で一部を切り抜き、折れ線で内側に屈曲できるように構成された内係止片が形成され、本体側板には、内係止片と対応する位置に、切れ線で一部を切り抜き、折れ線で内側に屈曲できるように構成された外係止片が形成され、内係止片と外係止片を重ねて内側に屈曲して紙管の内側に位置するように係止部を設けたことを特徴とする包装用ウェブ収納カートンであり、内係止片および外係止片を屈曲する折れ線を、上端を本体前板側に、下端を本体後板側に傾斜して設け、底板に垂直な垂直線との角度を、０〜５０度の範囲としたことを特徴とする。【選択図】図１
2006056569.tif 000002
【特許請求の範囲】
【請求項１】
本体前板、本体底板、本体後板、本体側板、本体内側板、本体糊代片からなるカートン本体の中に紙管に巻かれた包装用ウェブが収納される包装用ウェブ収納カートンにおいて、前記本体内側板には、切れ線で一部を切り抜き、折れ線で内側に屈曲できるように構成された内係止片が形成され、前記本体側板には、前記本体内側板に設けた前記内係止片と対応する位置に、切れ線で一部を切り抜き、折れ線で内側に屈曲できるように構成された外係止片が形成され、前記内係止片と前記外係止片を重ねて内側に屈曲して紙管の内側に位置するように係止部を設けたことを特徴とする包装用ウェブ収納カートン。
【請求項２】
前記内係止片および前記外係止片を屈曲する前記折れ線を、該折れ線の上端を前記本体前板側に、前記折れ線の下端を前記本体後板側に傾斜して設け、前記底板に垂直な垂直線との角度を、０〜５０度の範囲としたことを特徴とする請求項１に記載の包装用ウェブ収納カートン。
【請求項３】
前記内係止片の切れ線の一部に凹部を設け、前記内係止片を内側に屈曲させた後の抜き穴の一部に凸状部を形成したことを特徴とする請求項１又は２に記載の包装用ウェブ収納カートン。
【発明の詳細な説明】
【技術分野】
【０００１】
本発明は、食品包装などに用いられるラップフィルム等の包装用ウェブを紙管に巻かれた状態で収納するカートンに関するものである。
【背景技術】
【０００２】
従来、この種の包装用ウェブは紙管に巻かれた状態で板紙製のカートンに収納されており、使用に際しては、カートンから所望の長さ分を引き出した後、カートンに付いた金属製の鋸刃により切断して使用するようになっている。ところで、この包装用ウェブを引き出す時に、その勢いやラップフィルム同士の密着による抵抗などにより紙管ごと外に飛び出してしまうことがあり、これを防止するために従来から様々な試みがなされている。例えば、図１１に示すように、左右の内側板にＵ状穴を穿孔しかつ側板にこのＵ状穴に対応するＵ状ミシン線とこの両末端を結ぶ屈曲線とによって巻き取り支持用の突片を切り抜き屈曲自在に形成した考案が開示されている（例えば、特許文献１参照。）。また、図１２に示すように、左右の内側板に、縦の折れ線を介して半円状の係止片をそれぞれ設けた考案が開示されている（例えば、特許文献２参照。）。
【特許文献１】特開平１０−２６８８１７号公報
【特許文献２】特開平１０−２６８８１７号公報
【発明の開示】
【発明が解決しようとする課題】
【０００３】
しかしながら、図１１に示す内側板にＵ状穴をあけ、側板に突片を設けて屈曲させて係止機構を持たせている包装用ウェブ収納カートンでは、突片が一枚であり、ラップフィルム等を引き出して切断する時に、元へ戻り易く、強度が充分でないため、充分な飛び出し防止機能を有していないという問題がある。また、図１２に示す内側板に半円形の係止片を設けた包装用ウェブ収納カートンについては、形成した二枚重ねの係止片の強度と安定性では良好であるが、係止片の形成に手間が掛かるという問題がある。
【０００４】
本発明は、上記のような問題点に鑑みてなされたものであり、その目的とするところは、強度があり、かつ、製造、組み立てが容易な紙管の飛び出し防止の機能を備えた包装用ウェブ収納カートンを提供することにある。
【課題を解決するための手段】
【０００５】
上記の目的を達成するため、本発明は、本体前板、本体底板、本体後板、本体側板、本体内側板、本体糊代片からなるカートン本体の中に紙管に巻かれた包装用ウェブが収納される包装用ウェブ収納カートンにおいて、前記本体内側板には、切れ線で一部を切り抜き、折れ線で内側に屈曲できるように構成された内係止片が形成され、前記本体側板には、前記本体内側板に設けた前記内係止片と対応する位置に、切れ線で一部を切り抜き、折れ線で内側に屈曲できるように構成された外係止片が形成され、前記内係止片と前記外係止片を重ねて内側に屈曲して紙管の内側に位置するように係止部を設けたことを特徴とする包装用ウェブ収納カートンである。また、前記内係止片および前記外係止片を屈曲する前記折れ線を、該折れ線の上端を前記本体前板側に、前記折れ線の下端を前記本体後板側に傾斜して設け、前記底板に垂直な垂直線との角度を、０〜５０度の範囲としたことを特徴とする。さらに、前記内係止片の切れ線の一部に凹部を設け、前記内係止片を内側に屈曲させた後の抜き穴の一部に凸状部を形成したことを特徴とするものである。
【発明の効果】
【０００６】
本発明の包装用ウェブ収納カートンは、カートン本体の側面の本体内側板に折れ線で屈曲する内係止片を設け、本体側板にも折れ線で屈曲する外係止片を設け、内側に重ねて屈曲して、紙管の内側に位置するように係止部を設けることによって、充分な強度を有し、簡単に紙管の飛び出し防止機能を持たせることができるという効果を有している。また、折れ線を垂直あるいは傾斜して設けることにより、紙管が飛び出す方向に係止片の折れ線の方向を近づけることになり、簡単に折り込まれた係止部が元に戻ることがなく、確実に紙管の飛び出しを防止することができる。さらに、本体内側板に設けた内係止片の切れ線の一部に凹部を設け、この内係止片を屈曲した後の抜き穴の一部に凸状部を形成することによって、この凸状部が外係止片が元へ戻ることを防ぎ、従って、屈曲した係止部の戻りを防ぐことができるという効果を有している。
【発明を実施するための最良の形態】
【０００７】
本発明の包装用ウェブ収納カートンの実施形態について説明する。図１は本発明に係る包装用ウェブ収納カートンの具体例を示す斜視図であり、図２は図１に示すカートンを形成するブランクの展開図であり、図３は使用時における紙管の飛び出し防止機構を示す概略説明図であり、図４は係止片を設ける領域を示す側面図であり、図５は係止片の折れ線の角度を示す概略図であり、図６は係止片の折れ線の角度を示す概略説明図であり、図７は係止片の形状例を示す図であり、図８は係止片を折り曲げた状態を示す概略説明図であり、図９は係止片を折り曲げた状態を示す概略横断面図であり、図１０は係止部の周辺部を示す部分拡大図であり、図１１は従来の包装用ウェブ収納カートンの例を示す斜視図であり、そして、図１２は従来の包装用ウェブ収納カートンの他の例を示す斜視図である。
【０００８】
図１は本発明に係る包装用ウェブ収納カートンの具体例を示す斜視図であり、本発明の包装用ウェブ収納カートンＡは、カートン本体１とカートン本体１に被せる蓋体２とからなり、本体前板５、本体底板４、本体後板３、そして、側部が本体側板８、本体内側板７、本体糊代片９からなるカートン本体１の中に紙管Ｗに巻かれた包装用ウェブが収納され、そして、本体後板３に蓋体頂板１１を連設することにより、蓋体頂板１１、蓋体前板１２、蓋体側板１３からなる蓋体２を連結している。また、本体内側板７には、切れ線で一部を切り抜き、折れ線で内側に屈曲できるように構成された内係止片が形成され、本体側板８には、本体内側板７に設けた内係止片と対応する位置に、切れ線で一部を切り抜き、折れ線で内側に屈曲できるように構成された外係止片が形成され、内係止片と外係止片を重ねて内側に屈曲して紙管Ｗの内側に位置するように係止部Ｚを設けたことを特徴とするものである。
【０００９】
図２は本発明の包装用ウェブ収納カートンＡを組み立てる前のブランクの展開図であり、ブランク１０では、Ｎ−Ｎ線の上側がカートン本体１で、下側が蓋体２となる構成である。カートン本体１の構成部分は、本体後板３、本体底板４、本体前板５、前板補強板６が順次折れ線ａ、ｂ、ｃを介して連設され、本体後板３の両側には側板の本体内側板７、７が折れ線ｄ、ｄを介して連設され、本体底板４の両側には本体側板８、８が折れ線ｅ、ｅを介して連設され、また、本体前板５の両側には本体接着片９、９がそれぞれ折れ線ｆ、ｆを介して連設されている。
【００１０】
そして、各本体内側板７には、折れ線ｘ１で内側に屈曲でき、切れ線ｘ２で切り抜くことができるように構成された内係止片Ｘが形成され、各本体側板８には、本体内側板７に設けた内係止片Ｘと対応する位置に折れ線ｙ１と切れ線ｙ２で内側に内係止片Ｘと重ねて屈曲できるように構成された外係止片Ｙが形成されている。内係止片Ｘと外係止片Ｙは、重ねて内側に屈曲して係止部Ｚを形成できるように、概ね同形としている。実際には、包装用ウェブ収納カートンＡを組み立てた時に、本体側板８と本体内側板７に多少のずれがあった場合でも、内係止片Ｘと外係止片Ｙを重ねて内側に屈曲して係止部Ｚを形成しやすいように、外係止片Ｙの面積を内係止片Ｘの面積より小さくすることが好ましい。
【００１１】
一方、蓋体２の構成部分は、本体後板３に蓋体頂板１１が折れ線ｇを介して連設され、さらに、この蓋体頂板１１に蓋体前板１２が折れ線ｈを介して連設され、蓋体頂板１１の両側には蓋体側板１３、１３が折れ線ｉ、ｉを介して連設され、また、蓋体前板１２の両側には蓋接着片１４、１４がそれぞれ折れ線ｊ、ｊを介して連設されている。また、蓋体前板１２には、使用時に切り離して鋸刃１５を露出させるための切除部１２ａが、破断線ｋで区画され、カートンの組み立て時においてその切除部１２ａは本体前板５に形成した複数の接着ポイント１６で接着するようになっている。
【００１２】
上記の構成からなる板紙製のブランク１０を組み立てて包装用ウェブ収納カートンＡを形成する。すなわち、ブランク１０の必要箇所に糊付けして折れ線により折り曲げて折り畳まれた状態にし、つぎの内容物の充填包装の工程で、折り畳まれた包装用ウェブ収納カートンＡを起こして組み立てて、ラップフィルムが巻かれた紙管Ｗをカートン本体１の中に収納する。この工程において、本体内側板７に形成する内係止片Ｘと本体側板８に形成する外係止片Ｙを重ねて内側に折り曲げて、図３に示すように、包装用ウェブ収納カートンＡ内に収納されている紙管Ｗの内側に係止部Ｚを形成する。この作業は、充填時にピンなどの治具により紙管Ｗの内部に折り込むことができる。また、この係止部Ｚの形成は、紙管Ｗに巻かれたラップフィルム等が収納された商品を購入した消費者が、使用する時に容易に行うこともできる。このように係止部Ｚが紙管Ｗの内側に向かって立ち上がった状態にすることにより、カートン上方への引っ張りに対して、紙管Ｗが飛び出さないように保持している。
【００１３】
収納するラップフィルムは、例えば塩化ビニリデン系、塩化ビニール系、ポリエチレン系等の合成樹脂フィルムである。そして、使用に際しては、蓋体前板１２の切除部１２ａを破断線ｋに沿って除去した後、図１に示すように蓋体２を開け、中のラップフィルムの端縁を摘んで所望の長さだけ引き出してから鋸刃１５で切断する。
【００１４】
また、内係止片Ｘおよび外係止片Ｙの一辺を直線の折り曲げ可能な折れ線ｘ１、ｙ１とし、他の部分を切り抜き可能な切れ線ｘ２、ｙ２としているが、この切れ線ｘ２、ｙ２は、切れ刃による切れ目、ミシン目、半切れ等とする。この内係止片Ｘ、外係止片Ｙは、本体側板８、本体内側板７の略中央部にそれぞれ設け、その位置は、内係止片Ｘおよび外係止片Ｙをラップフィルム等を巻いた紙管Ｗの内側に折り曲げることができるように、ラップフィルム等を巻いた紙管Ｗを包装用ウェブ収納カートンＡに収納した初期の段階で、図４に示すような紙管Ｗの内側の領域に対応する領域内Ｒとする。そして、紙管Ｗが上方に移動する距離を制限するために、折れ線ｘ１、ｙ１の下端ｍを領域内Ｒの下半円形線ｒ（太線部分）に近づけることが好ましい。
【００１５】
また、折れ線ｘ１、ｙ１の角度αを、図５に示すように、折れ線ｘ１、ｙ１の上端ｌが本体前板側に下端ｍが本体後板側に傾斜させて、本体底板１３に垂直な垂直線との角度を０〜５０度の範囲とすることが好ましい。この範囲内にすることにより、屈曲した内係止片Ｘ、外係止片Ｙが元に戻りにくく、紙管Ｗの飛び出しを効果的に防ぐことができ、強度を保つことができる。角度αが５０度を越えると、内側に折り曲げた内係止片Ｘおよび外係止片Ｙが、さらに倒れ込み易くなり、あるいは元へ戻り易くなり、紙管Ｗのを飛び出し防止の効果が極端に低下する。特に、この角度αを４５度に近くすることが好ましく、その理由としては、図６に示すように、ラップフィルム等を巻いた紙管Ｗは、ラップフィルム等が引き出される時、ｐ１の力で前上方向に引っ張られると共に、本体前板５に接しながら図における時計周りに回転して行くため、本体前板５に沿って上昇するｐ２の力が発生し、そして、ｐ１とｐ２を合成したＰという力が紙管Ｗを略４５度の斜め上方向へ引き上げようとする。従って、この方向に対して飛び出すことを防止することが有効になり、折れ線ｘ１、ｙ１の角度を４５度に近づけることが好ましい。
【００１６】
内係止片Ｘおよび外係止片Ｙの形状は、図７−ａ、ｂ、ｃに示すように、半円形、Ｕ字形、三角形、四角形、台形等とすることができ、角部が引っかからないように、角丸とすることが好ましい。また、図７−ｄに示すように、折れ線ｘ、ｙの下端ｍから折れ線ｘ、ｙに直角に直線部分を有する形状とすることが好ましく、この形状にすることによって、図８に示すように、紙管Ｗを内側から直線部分で支持することができ、紙管Ｗの飛び出しを防ぐ効果が高くなる。また、ころがり抵抗を少なくするため、図７−ｅに示すように、直線部分を波形として複数の点接触とする形状としてもよい。
【００１７】
また、係止部Ｚの折り込む角度βは、略９０度とすることが好ましいが、実際には、図９の概略上面図に示すように、折り込まれた係止部Ｚは、紙管Ｗの回転に引っ張られて倒されやすいので、予め、９０度より小さく４５〜８０度の範囲としてもよい。
【００１８】
また、本体内側板７に設けた内係止片Ｘと本体側板８に設けた外係止片Ｙは、重ねて内側に屈曲して係止部Ｚを形成できるように、概ね同形としているが、内係止片Ｘの切れ線ｘ２の一部に凹部を設け、内係止片Ｘを内側に屈曲させた後の抜き穴の一部に凸状部ｘ３を設けた形状とすることもできる。このように、内係止片Ｘを内側に屈曲させた後の抜き穴の一部に凸状部ｘ３が設けられることにより、重ねて屈曲した外係止片Ｙが元に戻ることを防いだ形状となっている。従って、図１０に示すように、屈曲させた係止部Ｚが戻りにくい形になる。この凸状部ｘ３は、折れ線ｘ１に近い位置に設けることが効果的であり、特に、折れ線ｘ１の下端に近い位置に設けることが効果的である。
【００１９】
また、上記の例では折れ線ｘ１、ｙ１の斜め下方向（前板１２側）に内係止片Ｘ、外係止片Ｙを形成したが、折れ線ｘ１、ｙ１の斜め上方向（後板１４側）に内係止片Ｘ、外係止片Ｙを形成して、係止部Ｚを屈曲させる方向を上記の例と逆にした形態にしてもよいが、紙管Ｗの回転方向（図４で時計周り）を考慮すると、回転方向に逆らう方向となる折れ線ｘ１、ｙ１の斜め下方向（前板１２側）に内係止片Ｘ、外係止片Ｙを形成した形状の方が、折れ線ｘ１、ｙ１の斜め上方向（後板１４側）に内係止片Ｘ、外係止片Ｙを形成した形状に比較して、折り曲げた状態から元へ戻りにくく好ましい。
【産業上の利用分野】
【００２０】
上記の具体例ではラップフィルムの収納カートンについて説明したが、本発明はアルミホイル、クッキングペーパー等の他の包装用ウェブを収納するカートンにも適用可能である。また、カートンの形状は、上記の具体例のように、本体内側板と本体接着片を折り込み、本体側板を接着する形で側面を閉鎖する構造を持つカートンであれば、任意の形態のカートンに適用可能である。
【図面の簡単な説明】
【００２１】
【図１】本発明に係る包装用ウェブ収納カートンの具体例を示す斜視図である。
【図２】図１に示すカートンを形成するブランクの展開図である。
【図３】使用時における紙管の飛び出し防止機構を示す概略説明図である。
【図４】係止片を設ける領域を示す側面図である。
【図５】係止片の折れ線の角度を示す概略図である。
【図６】係止片の折れ線の角度を示す概略説明図である。
【図７】係止片の形状例を示す図である。
【図８】係止片を折り曲げた状態を示す概略説明図である。
【図９】係止片を折り曲げた状態を示す概略横断面図である。
【図１０】係止部の周辺部を示す部分拡大図である。
【図１１】従来の包装用ウェブ収納カートンの例を示す斜視図である。
【図１２】従来の包装用ウェブ収納カートンの他の例を示す斜視図である。
【符号の説明】
【００２２】
Ａ    包装用ウェブ収納カートン
１０    ブランク
１    カートン本体
２    蓋体
３    本体後板
４    本体底板
５    本体前板
６    前板補強板
７    本体内側板
８    本体側板
９    本体接着片
１１    蓋体頂板
１２    蓋体前板
１２ａ  切除部
１３    蓋体側板
１４    蓋体接着片
１５    鋸刃
１６    接着ポイント
ａ〜ｊ  折れ線
ｋ    破断線
ｌ    上端（係止片の折れ線の）
ｍ    下端（係止片の折れ線の）
Ｘ    内係止片
ｘ１  折れ線
ｘ２  切れ線
Ｙ    外係止片
ｙ１  折れ線
ｙ２  切れ線
Ｚ    係止部
Ｗ    紙管
Ｒ    領域内
【図１】
2006056569.tif 000003
【図２】
2006056569.tif 000004
【図３】
2006056569.tif 000005
【図４】
2006056569.tif 000006
【図５】
2006056569.tif 000007
【図６】
2006056569.tif 000008
【図７】
2006056569.tif 000009
【図８】
2006056569.tif 000010
【図９】
2006056569.tif 000011
【図１０】
2006056569.tif 000012
【図１１】
2006056569.tif 000013
【図１２】
2006056569.tif 000014